(57)【要約】【課題】簡単な構成で、設備的に安価にして、荷物の下方側にフィルムを供給して荷物を包装できるようにする。【解決手段】荷物載置部を囲むように鉛直軸心周りで回転可能に支持フレームが設け、その支持フレームに昇降可能に支持台１１を設ける。支持台１１に、ロール保持部材と一対の延伸ロール１４と拡張案内機構１５とを設ける。拡張案内機構１５を、截頭円錐形状のローラ２２を回転自在に円弧状に設けた円弧状ガイド２３を円弧状ガイド用支持部材２４に設けて構成し、円弧状ガイド用支持部材２４にエアシリンダ２５を連動連結し、エアシリンダ２５の伸縮により、円弧状ガイド用支持部材２４を、フィルムＦを水平方向に向ける定常姿勢と、円弧状ガイド２３に案内されるフィルムＦを下方側に寄せるように上方側ほど延伸ロール１４から離れる傾斜姿勢とに姿勢変更可能に設ける。【選択図】図６
2009126557.tif 000002
【特許請求の範囲】
【請求項１】
帯状の包装用のフィルムをロール状に巻いた原反ロールを回転自在に保持するロール保持部材と、
前記原反ロールから供給されるフィルムを幅方向に延伸する延伸ロールと、
前記延伸ロールからのフィルムを幅方向に拡張するとともに移動を案内する拡張案内機構と、
前記拡張案内機構からのフィルムを荷物載置部に載置された荷物に供給して荷物を包装するように構成したフィルム包装機であって、
前記拡張案内機構を、截頭円錐形状のローラを回転自在に円弧状に設けた円弧状ガイドを円弧状ガイド用支持部材に設けて構成し、
前記円弧状ガイド用支持部材を、前記円弧状ガイドに案内されるフィルムを水平方向に向ける定常姿勢と、前記円弧状ガイドに案内されるフィルムを下方側に寄せるように上方側ほど前記延伸ロールから離れる傾斜姿勢とに姿勢変更可能に設けたことを特徴とするフィルム包装機。
【請求項２】
帯状の包装用のフィルムをロール状に巻いた原反ロールを回転自在に保持するロール保持部材と、
前記原反ロールから供給されるフィルムを幅方向に延伸する延伸ロールと、
前記延伸ロールからのフィルムを幅方向に拡張するとともに移動を案内する拡張案内機構と、
前記拡張案内機構からのフィルムを荷物載置部に載置された荷物に供給して荷物を包装するように構成したフィルム包装機であって、
前記拡張案内機構を、延伸ロールからのフィルムの幅方向両端側を把持してフィルムを幅方向に拡張する拡張機構と、ローラを鉛直方向の軸心周りに回転自在に棒状ガイド用支持部材に設けた棒状ガイドとから構成し、
前記棒状ガイド用支持部材を、前記棒状ガイドに案内されるフィルムを水平方向に向ける定常姿勢と、前記棒状ガイドに案内されるフィルムを下方側に寄せるように上方側ほど前記拡張機構から離れる傾斜姿勢とに姿勢変更可能に設けたことを特徴とするフィルム包装機。
【請求項３】
請求項１または２に記載のフィルム包装機において、
ロール保持部材と延伸ロールと拡張案内機構とを支持台に設け、前記支持台を昇降可能に設けてあるフィルム包装機。
【請求項４】
請求項３に記載のフィルム包装機において、
支持台を支持した支持フレームを鉛直方向の軸心周りで回転可能に設け、荷物載置部の周囲で前記支持台を回転させることによりフィルムで荷物を包装するように構成してあるフィルム包装機。
【請求項５】
請求項１、２、３のいずれかに記載のフィルム包装機において、
荷物載置部を、荷物を載置する荷物載置台を鉛直方向の軸心周りで回転可能に設けて構成し、拡張案内機構からのフィルムの先端側を前記荷物載置台側に固定して前記荷物載置台を回転させることによりフィルムで荷物を包装するように構成してあるフィルム包装機。
【発明の詳細な説明】
【技術分野】
【０００１】
本発明は、品物を詰めたダンボール箱や袋などの荷物を多数積んで倉庫に保管する場合などにおいて、それらの荷物の荷崩れや汚損を防止するために、帯状の包装用のフィルムをロール状に巻いた原反ロールを回転自在に保持するロール保持部材と、原反ロールから供給されるフィルムを幅方向に延伸する延伸ロールと、その延伸ロールからのフィルムを幅方向に拡張するとともに移動を案内する拡張案内機構と、その拡張案内機構からのフィルムを荷物載置部に載置された荷物に供給して荷物を包装するように構成したフィルム包装機に関する。
【背景技術】
【０００２】
この種のものとしては、従来、次のようなものが知られている。
すなわち、支持ポストに上下に往復駆動するようにキャリッジを設け、そのキャリッジに、包装用プラスチックフィルムのロールと、フィルム延伸機構とを設け、一方、荷物を載置するためのターンテーブルを設け、ターンテーブル上で回転する荷物に延伸フィルムを巻き付けて包装するように構成されている（特許文献１参照）。
【特許文献１】特開平６−２５５６２５号公報（図１、図２）
【発明の開示】
【発明が解決しようとする課題】
【０００３】
上述のようなフィルム包装機では、例えば、運搬用のパレットに荷物を載置した状態で荷物の下部をパレットごとフィルムで包装し、荷物の下端側とパレットとの隙間を覆って塵や埃が荷物に付着することを防止するなど、荷物の下方側にフィルムを集中させたい場合がある。
【０００４】
しかしながら、上述のようにキャリッジを昇降する従来例のものでは、キャリッジをより下方まで下降させ、その位置でターンテーブルを回転させる必要があり、キャリッジを下方位置まで下降させるためのスペースを確保しなければならない不都合があった。
原反ロールを幅方向に延伸するものでは、フィルムの幅方向両端の下方側の位置が原反ロールの下端よりも下方に拡げられ、また、フィルム延伸機構を駆動する駆動系が下部に配置されることが多く、それらを荷物下方側を覆うために十分な位置にするためには、ターンテーブルの高さを高くする必要があり、設備的に高価になる不都合があった。
また、図８の（ｂ）の従来機の動作説明に供する概略正面図に示すように、荷物Ｄ１を載置したパレットＤ２をターンテーブルなどの荷物載置台Ｄ３上に載せ、荷物Ｄ１に延伸フィルムＤ４を密着させるためには、荷物載置台Ｄ３の回転などにより延伸フィルムＤ４にテンションをかけて巻き付けるものであり、このテンションをかけるに伴って、フィルム供給側Ｄ５におけるよりも延伸フィルムＤ４の幅が狭くなる。このため、フィルム供給側Ｄ５を荷物載置台Ｄ３の載置面に近付けても、荷物Ｄ１に包装される延伸フィルムＤ４の幅方向下端縁の位置が上昇し、荷物Ｄ１の下端部とパレットＤ２とを一体化するように延伸フィルムＤ４を包装することが困難であった。
【０００５】
本発明は、上記の点に鑑みてなされたものであって、請求項１および請求項２に係る発明は、簡単な構成で、設備的に安価にして、荷物の下方側にフィルムを供給して荷物を包装できるようにすることを目的とし、請求項３に係る発明は、フィルムの幅よりも高い荷物をも容易に包装できるようにすることを目的とし、請求項４に係る発明は、重量の大きい荷物に対する包装を容易に行えるようにすることを目的とし、請求項５に係る発明は、包装用のスペースを少なくできるようにすることを目的とする。
【課題を解決するための手段】
【０００６】
請求項１に係る発明は、上述のような目的を達成するために、
帯状の包装用のフィルムをロール状に巻いた原反ロールを回転自在に保持するロール保持部材と、
前記原反ロールから供給されるフィルムを幅方向に延伸する延伸ロールと、
前記延伸ロールからのフィルムを幅方向に拡張するとともに移動を案内する拡張案内機構と、
前記拡張案内機構からのフィルムを荷物載置部に載置された荷物に供給して荷物を包装するように構成したフィルム包装機であって、
前記拡張案内機構を、截頭円錐形状のローラを回転自在に円弧状に設けた円弧状ガイドを円弧状ガイド用支持部材に設けて構成し、
前記円弧状ガイド用支持部材を、前記円弧状ガイドに案内されるフィルムを水平方向に向ける定常姿勢と、前記円弧状ガイドに案内されるフィルムを下方側に寄せるように上方側ほど前記延伸ロールから離れる傾斜姿勢とに姿勢変更可能に設けて構成する。
【０００７】
（作用・効果）
請求項１に係る発明のフィルム包装機の構成によれば、円弧状ガイド用支持部材の姿勢を傾斜姿勢に変更することにより、延伸フィルムを拡張する機能と拡張した延伸フィルムの移動を案内するガイド機能を持たせた円弧状ガイドによってフィルムを下方側に寄せ、荷物載置部に載置された荷物の下方側にフィルムを供給して荷物を包装することができる。
殊に、図８の（ａ）の本発明のフィルム包装機の動作説明に供する概略正面図に示すように、荷物Ｄ１を載置したパレットＤ２をターンテーブルなどの荷物載置台Ｄ３上に載せ、荷物Ｄ１に延伸フィルムＤ４を密着させるために、荷物載置台Ｄ３の回転あるいはフィルム供給側の回転などにより延伸フィルムＤ４にテンションをかけて巻き付ける際に、このテンションをかけるに伴って、フィルム供給側Ｄ５におけるよりも延伸フィルムＤ４の幅が狭くなっても、荷物Ｄ１に包装される延伸フィルムＤ４の幅方向下端縁の位置そのものを円弧状ガイドＤ６（概略的に棒状に示している）によって下降でき、荷物Ｄ１の下端部とパレットＤ２とを一体化するように延伸フィルムＤ４を包装することができる。
したがって、円弧状ガイドを設けた円弧状ガイド用支持部材の姿勢を傾斜姿勢に変更するだけで、円弧状ガイドによるフィルムの供給位置を下降させ、荷物の下方側にフィルムを供給して荷物を包装できるから、従来のキャリッジを昇降するタイプと比較して、より下方位置まで下降させる必要がなくなり、下方に下降させるためのスペースを確保しなくて済み、簡単な構成で、設備的に安価にして、荷物の下方側にフィルムを供給して荷物を包装でき、荷物の下端側とパレットとの隙間を良好に覆って塵や埃が荷物に付着することを防止できる。
【０００８】
また、請求項２に係る発明は、前述のような目的を達成するために、
帯状の包装用のフィルムをロール状に巻いた原反ロールを回転自在に保持するロール保持部材と、
前記原反ロールから供給されるフィルムを幅方向に延伸する延伸ロールと、
前記延伸ロールからのフィルムを幅方向に拡張するとともに移動を案内する拡張案内機構と、
前記拡張案内機構からのフィルムを荷物載置部に載置された荷物に供給して荷物を包装するように構成したフィルム包装機であって、
前記拡張案内機構を、延伸ロールからのフィルムの幅方向両端側を把持してフィルムを幅方向に拡張する拡張機構と、ローラを鉛直方向の軸心周りに回転自在に棒状ガイド用支持部材に設けた棒状ガイドとから構成し、
前記棒状ガイド用支持部材を、前記棒状ガイドに案内されるフィルムを水平方向に向ける定常姿勢と、前記棒状ガイドに案内されるフィルムを下方側に寄せるように上方側ほど前記拡張機構から離れる傾斜姿勢とに姿勢変更可能に設けて構成する。
【０００９】
（作用・効果）
請求項２に係る発明のフィルム包装機の構成によれば、棒状ガイド用支持部材の姿勢を傾斜姿勢に変更することにより、拡張した延伸フィルムの移動を案内する棒状ガイドによってフィルムを下方側に寄せ、荷物載置部に載置された荷物の下方側にフィルムを供給することができる。
また、前述円弧状ガイドの場合と同様に、荷物Ｄ１に包装される延伸フィルムＤ４の幅方向下端縁の位置そのものを棒状ガイドによって下降でき、荷物Ｄ１の下端部とパレットＤ２とを一体化するように延伸フィルムＤ４を包装することができる。
したがって、棒状ガイドを設けた棒状ガイド用支持部材の姿勢を傾斜姿勢に変更するだけで、棒状ガイドによるフィルムの供給位置を下降させ、荷物の下方側にフィルムを供給して荷物を包装できるから、従来のキャリッジを昇降するタイプと比較して、より下方位置まで下降させる必要がなくなり、下方に下降させるためのスペースを確保しなくて済み、簡単な構成で、設備的に安価にして、荷物の下方側にフィルムを供給して荷物を包装でき、荷物の下端側とパレットとの隙間を良好に覆って塵や埃が荷物に付着することを防止できる。
【００１０】
また、請求項３に係る発明は、前述のような目的を達成するために、
請求項１または２に記載のフィルム包装機において、
ロール保持部材と延伸ロールと拡張案内機構とを支持台に設け、前記支持台を昇降可能に設けて構成する。
【００１１】
（作用・効果）
請求項３に係る発明のフィルム包装機の構成によれば、ロール保持部材と延伸ロールと拡張案内機構とを昇降するから、延伸させたフィルムの幅よりも高い荷物をも容易に包装できる。
【００１２】
また、請求項４に係る発明は、前述のような目的を達成するために、
請求項３に記載のフィルム包装機において、
支持台を支持した支持フレームを鉛直方向の軸心周りで回転可能に設け、荷物載置部の周囲で前記支持台を回転させることによりフィルムで荷物を包装するように構成する。
【００１３】
（作用・効果）
請求項４に係る発明のフィルム包装機の構成によれば、荷物載置部に載置位置した荷物に対して、その周囲をフィルム供給側を回転させながら包装できるから、荷物載置部に荷物載置台で構成してその荷物載置台を回転させる場合に、荷物の重量が大きいと、荷物載置台の回転構成に強度が要求されて大掛かりな構成になるのに比べて構成を簡単にでき、重量の大きい荷物に対する包装を容易に行える。
【００１４】
また、請求項５に係る発明は、前述のような目的を達成するために、
請求項１、２、３のいずれかに記載のフィルム包装機において、
荷物載置部を、荷物を載置する荷物載置台を鉛直方向の軸心周りで回転可能に設け、拡張案内機構からのフィルムの先端側を前記荷物載置台側に固定して前記荷物載置台を回転させることによりフィルムで荷物を包装するように構成する。
【００１５】
（作用・効果）
請求項５に係る発明のフィルム包装機の構成によれば、フィルム供給側を固定した状態で荷物載置台を回転させることによって荷物を包装できるから、荷物の周囲をフィルム供給側を回転させる場合に比べ、回転のためのスペースを確保せずに済み、包装用のスペースを少なくできる。
【発明の効果】
【００１６】
請求項１に係る発明のフィルム包装機の構成によれば、円弧状ガイド用支持部材の姿勢を傾斜姿勢に変更することにより、延伸フィルムを拡張する機能と拡張した延伸フィルムの移動を案内するガイド機能を持たせた円弧状ガイドによってフィルムを下方側に寄せ、荷物載置部に載置された荷物の下方側にフィルムを供給して荷物を包装することができる。
殊に、図８の（ａ）の本発明のフィルム包装機の動作説明に供する概略正面図に示すように、荷物Ｄ１を載置したパレットＤ２をターンテーブルなどの荷物載置台Ｄ３上に載せ、荷物Ｄ１に延伸フィルムＤ４を密着させるために、荷物載置台Ｄ３の回転あるいはフィルム供給側の回転などにより延伸フィルムＤ４にテンションをかけて巻き付ける際に、このテンションをかけるに伴って、フィルム供給側Ｄ５におけるよりも延伸フィルムＤ４の幅が狭くなっても、荷物Ｄ１に包装される延伸フィルムＤ４の幅方向下端縁の位置そのものを円弧状ガイドＤ６（概略的に棒状に示している）によって下降でき、荷物Ｄ１の下端部とパレットＤ２とを一体化するように延伸フィルムＤ４を包装することができる。
したがって、円弧状ガイドを設けた円弧状ガイド用支持部材の姿勢を傾斜姿勢に変更するだけで、円弧状ガイドによるフィルムの供給位置を下降させ、荷物の下方側にフィルムを供給して荷物を包装できるから、従来のキャリッジを昇降するタイプと比較して、より下方位置まで下降させる必要がなくなり、下方に下降させるためのスペースを確保しなくて済み、簡単な構成で、設備的に安価にして、荷物の下方側にフィルムを供給して荷物を包装でき、荷物の下端側とパレットとの隙間を良好に覆って塵や埃が荷物に付着することを防止できる。
【発明を実施するための最良の形態】
【００１７】
次に、この発明の実施例について図面を参照しながら説明する。
【実施例１】
【００１８】
図１は、本発明に係るフィルム包装機の実施例１を示す一部省略全体正面図、図２は全体平面図、図３は一部省略全体右側面図、図４は一部省略全体左側面図であり、品物を詰めたダンボール箱や袋などの荷物１をパレット２に載置した被包装物Ｈをフォークリフトで搬入する搬入部３と、被包装物Ｈを包装用のフィルムで包装する荷物載置部４と、包装処理後の被包装物Ｈを搬出する搬出部５とが設けられ、搬入部３から荷物載置部４、搬出部５にわたって、一対のベルトコンベア６ａと中央の支持ローラ６ｂとローラーコンベア７とが設けられている。
【００１９】
荷物載置部４を囲むように門形の支持枠８が立設され、平面視で荷物載置部４の中心相当箇所に位置させて、支持枠８に鉛直軸心周りで回転可能にアングル形状の支持フレーム９が設けられ、その支持フレーム９と第１の電動モータ１０とがチェーン式伝動機構（図示せず）を介して連動連結され、支持フレーム９を駆動回転するように構成されている。
支持フレーム９に昇降可能に支持台１１が設けられ、その支持台１１と第２の電動モータ１２とがチェーン式伝動機構（図示せず）を介して連動連結され、支持台１１を駆動昇降するように構成されている。支持フレーム９の水平部分の支持台１１とは反対側の端部にはバランスウェイト（図示せず）が設けられている。
【００２０】
図５の要部の拡大正面図に示すように、支持台１１には、ロール保持部材１３と一対の延伸ロール１４と拡張案内機構１５とが設けられている。
ロール保持部材１３は、支持台１１に取り付けたガイドロッド１６に、帯状の包装用のフィルムＦをロール状に巻いた原反ロール１７の芯である紙管１７ａを受け止める紙管受け１８を設け、かつ、ガイドロッド１６に挿入する紙管押さえ１９を設けて構成されている。
【００２１】
延伸ロール１４は、表面が凹凸面に形成され、隣り合う延伸ロール１４，１４の凹凸が互いに入り込むように設けられている。フィルムＦの供給方向下流側に位置する延伸ロール１４の上端に第３の電動モータ２０が連動連結されている。隣り合う延伸ロール１４，１４の下端側どうしが、チェーンケース２１内に収納されているチェーン式減速機構を介して所定の減速比でフィルムＦの供給方向上流側の回転が遅くなるように連動連結されている。
これらの構成により、フィルムＦが延伸ロール１４，１４間を通されるに伴い、幅方向に延伸されるとともに、フィルムＦの供給方向下流側に位置する延伸ロール１４で強制的に引っ張って供給方向にも延伸するようになっている。
【００２２】
拡張案内機構１５は、截頭円錐形状のローラ２２を回転自在に円弧状に設けた円弧状ガイド２３を円弧状ガイド用支持部材２４に設けて構成されている。円弧状ガイド用支持部材２４の下端が支持台１１に水平方向の軸心周りで揺動可能に取り付けられている。一方、円弧状ガイド用支持部材１１の上端が、エアシリンダ２５のシリンダロッド２５ａに連結され、エアシリンダ２５のシリンダ本体２５ｂが支持台１１に設けた支持ブラケット２６に水平方向の軸心周りで揺動可能に取り付けられている。また、円弧状ガイド用支持部材１１の上端近くが、補強用のガイドロッド２７に連結支持されている。
【００２３】
円弧状ガイド用支持部材２４よりもフィルムＦの供給方向下流側に位置させて、支持台１１に、フィルムＦが通過する隙間を形成する状態で鉛直方向の一対の第１のガイドローラ２８が設けられている。第１のガイドローラ２８の鉛直方向両端それぞれに近接させて、フィルムＦの幅方向端縁に作用するように第２のガイドローラ２９が設けられ、上方および下方それぞれにフィルムＦが変位して第１のガイドローラ２８から外れることを防止できるように構成されている。
【００２４】
エアシリンダ２５の伸縮により、円弧状ガイド用支持部材２４を次のような傾斜姿勢と定常姿勢とに姿勢変更可能に構成されており、図６のフィルムの供給姿勢変更の説明に供する要部の概略正面図を用いて説明する。
（１）傾斜姿勢
図６の（ａ）に示すように、エアシリンダ２５を伸張させて、円弧状ガイド用支持部材２４を、支持台１１との連結位置とシリンダロッド２５ａとの連結位置とを結ぶ仮想線が鉛直方向よりも上方側ほど延伸ロール１４から離れるように傾斜させ、円弧状ガイド２３に案内されるフィルムＦを下方側に寄せ、フィルムＦの幅方向下端縁を下方側の第２のガイドローラ２９に作用させるようにする。
【００２５】
（２）定常姿勢
図６の（ｂ）に示すように、エアシリンダ２５を短縮させて、円弧状ガイド用支持部材２４を、支持台１１との連結位置とシリンダロッド２５ａとの連結位置とを結ぶ仮想線が鉛直方向あるいはほぼ鉛直方向を向くようにし、円弧状ガイド２３に案内されるフィルムＦを水平方向に向けるようにする。
これにより、被包装物Ｈに対して支持台１１を昇降する際に定常姿勢にし、延伸ロール１４で延伸されたフィルムＦの幅方向両端縁を上下に均等に拡張することができる。
【００２６】
上記構成により、支持台１１を最下部に位置させた状態の初期に、円弧状ガイド用支持部材２４を傾斜姿勢にし、延伸ロール１４で延伸されたフィルムＦを下方側に寄せ、荷物１の下端側とパレット２とにわたるようにフィルムＦを供給し、荷物１の下端側とパレット２の上面との間に隙間が生じないように包装し、埃や塵が侵入して荷物の下方側が汚れることを防止する。
【００２７】
荷物載置部４と、停止時の第１のガイドローラ２８との間において、フィルムＦの下端縁を把持するフィルムチャッキング装置３０が昇降可能に設けられ、そのフィルムチャッキング装置３０に近接した荷物載置部４側に位置に、カッターガイド支柱３１が、鉛直方向の作用姿勢と水平方向の非作用姿勢とに変位可能に設けられるとともに、カッターガイド支柱３１に、その長手方向に移動可能にカッター３２が設けられている。
【００２８】
以上の構成により、最初に、原反ロール１７から、延伸ロール１４、拡張案内機構１５および第１のガイドローラ２８，２８を通された延伸されたフィルムＦの下端縁を延伸フィルムチャッキング装置３０に把持させておき、被包装物ＨにフィルムＦを巻き付けてフィルム包装を完了した後、フィルムチャッキング装置３０を上昇させるとともに把持していたフィルムＦを離し、次いで、荷物載置部４から第１のガイドローラ２８に連なるフィルムＦの下端縁側を把持し、その把持後に、カッターガイド支柱３１を鉛直方向の作用姿勢に変位させ、カッター３２によってフィルムＦを切断し、しかる後に、カッターガイド支柱３１を水平方向の非作用姿勢に変位させる。この状態でも、フィルムＦの下端縁はフィルムチャッキング装置３０に把持され、次のフィルム包装の開始時に円弧状ガイド用支持部材４等の回転位置よりも低い位置に変位させ、以後同様の動作を継続できるようになっている。
フィルム包装機の周囲には、図２に示すように、エキスパンドメタルを取り付けた安全柵３３が設けられ、被包装物Ｈの移動や支持台１１の回転等の際に作業者と衝突したりすることを防止するようになっている。
【００２９】
次に、上記実施例１のフィルム包装機によるフィルム包装動作について説明する。
先ず、搬入部３から搬入した被包装物Ｈを一対のベルトコンベア６ａと中央の支持ローラ６ｂとによって荷物載置部４に移動する。荷物載置部４に移動されたことを検出するに伴い、エアシリンダ２５を伸張させ、円弧状ガイド用支持部材２４を傾斜姿勢に変更させて円弧状ガイド２３に案内されるフィルムＦを下方側に寄せるようにした状態で〔図６の（ｂ）参照〕支持台１１を回転させ、被包装物Ｈの周りを２回程度回転させてフィルムＦで包装する。これにより、荷物１の下端側とパレット２の上面との間に隙間が生じないように包装する。
【００３０】
その後、エアシリンダ２５を短縮させ、円弧状ガイド用支持部材２４を定常姿勢に変更させて円弧状ガイド２３に案内されるフィルムＦを水平方向に向かわせるようにした状態で〔図６の（ａ）参照〕支持台１１を上昇させながら５回程度回転させる。
被包装物Ｈの最上部の包装を終えた後、支持台１１を下降させながら２回程度回転させて支持台１１の回転を停止する。
【００３１】
しかる後、前述したように、フィルムＦの把持、カッターガイド支柱３１の鉛直方向の作用姿勢への変位、および、カッター３２によるフィルムＦの切断を行う。その後、フィルムＦで包装された被包装物Ｈを、一対のベルトコンベア６ａと中央の支持ローラ６ｂとローラーコンベア７によって搬出部５に搬送するとともに、カッターガイド支柱３１を水平方向の非作用姿勢に変位させ、フィルム包装を完了する。
上述の支持台１１の回転回数や、支持台１１の昇降ストローク等は、被包装物Ｈの大きさや荷物１の内容等によって適宜設定される。
【実施例２】
【００３２】
図７は、本発明に係るフィルム包装機の実施例２を示す一部省略概略斜視図であり、実施例１と異なるところは次の通りである。
すなわち、支持台（図示せず）上に設けられた拡張案内機構４１が、延伸ロール１４からのフィルムＦの幅方向両端側を把持してフィルムＦを幅方向に拡張する拡張機構４２と、ローラ４３を鉛直方向の軸心周りに回転自在に棒状ガイド用支持部材４４に設けた棒状ガイド４５とから構成されている。
【００３３】
棒状ガイド用支持部材４４の下端が水平方向の軸心周りで揺動可能に設けられ、一方、上端側にエアシリンダ４６が連動連結されている。
この構成により、棒状ガイド用支持部材４４の姿勢を変更し、エアシリンダ４６の短縮状態では、棒状ガイド４５に案内されるフィルムＦを水平方向に向ける定常姿勢となり、エアシリンダ４６の伸張状態では、棒状ガイド４５に案内されるフィルムＦを下方側に寄せるように上方側ほど拡張機構４２から離れる傾斜姿勢になるようになっている。
【００３４】
また、荷物載置部４が、荷物１を載置する荷物載置台４７を鉛直方向の軸心周りで回転可能に設けて構成され、拡張案内機構４１からのフィルムＦの先端側を、例えば、パレット２と荷物載置台４７との間に挟むなど、荷物載置台４７側に固定して荷物載置台４７を回転させることによりフィルムＦで荷物１を包装するように構成されている。
他の構成および作用は実施例１と同じであり、その説明は省略する。
【００３５】
本発明のフィルム包装機としては、上述実施例１のように、被包装物Ｈを固定してフィルムＦの供給側を回転ならびに昇降する構成、および、上述実施例２のように、被包装物Ｈを回転してフィルムＦの供給側を昇降のみさせる構成に限らず、次のような構成も採用できる。
【００３６】
（１）被包装物Ｈの高さが、フィルムＦの幅にほぼ等しいか小さい場合において、被包装物Ｈを固定してフィルムＦの供給側を回転のみさせる構成。
（２）被包装物Ｈの高さが、フィルムＦの幅にほぼ等しいか小さい場合において、被包装物Ｈを回転させてフィルムＦの供給側を昇降させない構成。
【図面の簡単な説明】
【００３７】
【図１】本発明に係るフィルム包装機の実施例１を示す一部省略全体正面図である。
【図２】実施例１の全体平面図である。
【図３】実施例１の一部省略全体右側面図である。
【図４】実施例１の一部省略全体左側面図である。
【図５】要部の拡大正面図である。
【図６】フィルムの供給姿勢変更の説明に供する要部の概略正面図であり、（ａ）は傾斜姿勢を、（ｂ）は定常姿勢をそれぞれ示す。
【図７】本発明に係るフィルム包装機の実施例２を示す一部省略概略斜視図であり、（ａ）は傾斜姿勢を、（ｂ）は定常姿勢をそれぞれ示す。
【図８】動作説明に供する概略正面図であり、（ａ）は本発明の動作を、（ｂ）は従来機の動作をそれぞれ示す。
【符号の説明】
【００３８】
１…荷物
４…荷物載置部
１１…支持台
１３…ロール保持部材
１４…延伸ロール
１５…拡張案内機構
１７…原反ロール
２２…ローラ
２３…円弧状ガイド
２４…円弧状ガイド用支持部材
４１…拡張案内機構
４２…拡張機構
４３…ローラ
４４…棒状ガイド用支持部材
４５…棒状ガイド
４７…荷物載置台
Ｆ…フィルム
【図１】
2009126557.tif 000003
【図２】
2009126557.tif 000004
【図３】
2009126557.tif 000005
【図４】
2009126557.tif 000006
【図５】
2009126557.tif 000007
【図６】
2009126557.tif 000008
【図７】
2009126557.tif 000009
【図８】
2009126557.tif 000010